(57)【要約】【課題】警告映像の表示形態を制限できる機能を設けることにより、表示画面上で重要なシーンにおける操作ミスや、表示画面上の内容読み取り、表示画面内容の監視上の不具合を改善する。【解決手段】データ放送信号を受信し、不揮発性メモリに少なくとも放送データを蓄積する手段を有したモバイル放送受信装置において、前記不揮発性メモリ３１のデータを表示するために読み出すブラウザ機能４０１と、動作状況に応じて警告表示を行う警告手段と、前記警告手段により警告表示が行われたとき、前記ブラウザ機能が動作中は、表示時間及び又は表示形態を制限する警告表示制限手段４０２と備える。【選択図】      図１
2006025032.tif 000002
【特許請求の範囲】
【請求項１】
データ放送信号を受信し、不揮発性メモリに対して、少なくとも放送データを蓄積する手段を有したモバイル放送受信装置において、
前記不揮発性メモリのデータを表示のために読み出すブラウザ機能と、
動作状況に応じて警告表示を行う警告手段と、
前記警告手段が警告表示を行うとき、前記ブラウザ機能が動作中は、前記警告表示の表示時間及び又は表示形態を制限する警告表示制限手段と
を具備したことを特徴とするモバイル放送受信装置。
【請求項２】
前記警告表示制限手段は、前記警告手段が警告表示を行なうとき、
前記ブラウザ機能が動作中は、画面上の警告表示の大きさを小さくし、前記ブラウザ機能が非動作中は、大きくすることを特徴とする請求項１記載のモバイル放送受信装置。
【請求項３】
前記警告表示制限手段は、前記警告手段が警告表示を行なうとき、
前記ブラウザ機能が動作中は、画面上の警告表示を短時間に制限し、前記ブラウザ機能が非動作中は前記短時間よりも長い時間にすることを特徴とする請求項１記載のモバイル放送受信装置。
【請求項４】
前記警告表示制限手段は、前記警告手段が警告表示を行なうとき、
前記ブラウザ機能が動作中は、警告表示をアイコンで示し、前記ブラウザ機能が非動作中はメッセージで示すことを特徴とする請求項１記載のモバイル放送受信装置。
【請求項５】
前記警告表示制限手段は、前記警告手段が警告表示を行なうとき、
前記ブラウザ機能が動作中は、音声で示し、前記ブラウザ機能が非動作中はメッセージで示すことを特徴とする請求項１記載のモバイル放送受信装置。
【請求項６】
前記警告表示制限手段は、前記警告手段が警告表示を行なうとき、
前記ブラウザ機能が動作中は、画面をフラッシュさせ、前記ブラウザ機能が非動作中はメッセージで示すことを特徴とする請求項１記載のモバイル放送受信装置。
【請求項７】
データ放送を受信し、不揮発性メモリに少なくとも放送データを蓄積する手段を有したモバイル放送受信装置において、
前記不揮発性メモリのデータを表示のために読み出すブラウザ機能と、
動作状況に応じて警告表示を行う警告手段と、
前記ブラウザ機能が非動作中は前記警告表示を行わせるが前記ブラウザ機能が動作中は、前記警告表示を行わせない警告表示制限手段と
を具備したことを特徴とするモバイル放送受信装置。
【請求項８】
前記不揮発性メモリには、データ放送により送られてきたゲーム用データが格納されていることを特徴とする請求項１乃至７のいずれかに記載のモバイル放送受信装置。
【請求項９】
給電が行われるアンテナと、
前記アンテナからの高周波信号が導かれるチューナと、
前記チューナで選局されて導出されたトランスポートストリーム（ＴＳ）及びエレメンタリーストリーム（ＥＳ）の信号を処理するＴＳ及びＥＳデコード部と、
前記ＴＳ及びＥＳデコード部からの放送データをデコードする付加データデコード部と、
前記ＴＳ及びＥＳデコード部からの放送ビデオデータをデコードするビデオデータデコード部と、
前記ＴＳ及びＥＳデコード部からの放送オーディオデータをデコードするオーディオデータデコード部と、
少なくともデコードされた放送データおよび放送ビデオデータを蓄積する不揮発性メモリと、
前記不揮発性メモリのデータを表示のために読み出すブラウザ機能と、
警告表示を行う警告手段と、
前記警告手段により警告表示が行われたとき、前記ブラウザ機能が動作中は、表示時間及び又は表示形態を制限する警告表示制限手段と
を具備したことを特徴とするモバイル放送受信装置。
【発明の詳細な説明】
【技術分野】
【０００１】
この発明は、モバイル放送受信装置に関するものであり、特にブラウザ機能による表示を行っているときの警告表示機能を改善したものである。
【背景技術】
【０００２】
静止軌道上の放送衛星または通信衛星を利用して、特定の地上サービスエリアに対し映像、音声、データなどの情報を放送する衛星放送システムが実現されている。この放送システムにおいて、モバイル放送も開始され、種々のサービス情報を提供できるようになった。
【０００３】
モバイル放送受信装置は、蓄積型データ放送を受信して放送データの表示を行うことができる。放送データの表示を、同じく蓄積したビデオデータとも合わせて表示することも可能である。また同時にオーディオデータを受信し、再生することも可能である。つまり、映像に関しては、蓄積データを画面に表示し、一方では、音声データをリアルタイムで受信しながらスピーカから出力する状態を取ることが可能である。
【０００４】
一方、モバイル放送受信装置には、警告表示機能が設けられている。例えば、放送信号を受信中に電波状況によっては、例えば電波が弱くエリアに侵入した場合等、警告画面が表示されることがある。また、ストリーム選択操作が行われ、契約されていないような音楽番組を指定したときに、「契約状態にありません」というような警告が表示されることがある。
【０００５】
例えば、特許文献１には、受信番組を録画するときに、録画禁止から否かが判断され、録画禁止の場合には、警告画面が表示されるという技術が示されている。
【特許文献１】特開２００１−２２３９５３
【発明の開示】
【発明が解決しようとする課題】
【０００６】
しかしながら従来の警告表示技術においては、表示画面の内容との関係を考慮したものはない。つまり、警告表示を行うにしても、表示画面に重要な内容が表示されていると、かえって警告映像が邪魔になることがある。あるいは、警告映像が突如あらわれたために、重要なシーンの操作で、操作ミスを行うことがある。
【０００７】
そこで本発明の目的は、警告映像の表示形態を制限できる機能を設けることにより、表示画面上で重要なシーンにおける操作ミスや、表示画面上の内容読み取り、表示画面内容の監視上の不具合を改善するモバイル放送受信装置を提供することを目的とする。
【課題を解決するための手段】
【０００８】
この発明は、データ放送信号を受信し、不揮発性メモリに少なくとも放送データを蓄積する手段を有したモバイル放送受信装置において、前記不揮発性メモリのデータを表示するために読み出すブラウザ機能と、動作状況に応じて警告表示を行う警告手段と、前記警告手段により警告表示が行われたとき、前記ブラウザ機能が動作中は、表示時間及び又は表示形態を制限する警告表示制限手段とを備える。
【発明の効果】
【０００９】
上記手段によると、表示画面上で重要なシーンにおける操作ミスや、表示画面上の内容読み取り、表示画面内容の監視上の不具合を無くすことができる。
【発明を実施するための最良の形態】
【００１０】
以下、この発明の実施の形態を図面を参照して説明する。図１には、この発明が適用されたモバイル放送受信装置の全体的な機能ブロック構成を示している。
【００１１】
アンテナ１１で受けられた高周波信号はチューナ１２に導かれる。チューナ１２は、制御部４０からの選局信号で1つのチャンネルであるトランスポートストリーム（以下ＴＳと略する）を選択する。このＴＳは、ＴＳ及びＥＳデコード部１４に導入される。このＴＳ及びＥＳデコード部１４では、トランスポートストリームの中の番組に相当するエレメントリーストリーム（以下ＥＳと略する）が選択される。ＴＳは、複数のＥＳを含んで伝送されているからである。ＥＳの選択、所謂番組選択も制御部４０からの番組選択情報に基づいて選択される。
【００１２】
制御部４０は、キー入力処理部４１からの選択キー情報を受け取り、上記のＴＳ選局、ＥＳ選択を行うことができる。キー入力処理部４１は、ユーザ操作に応答する部分である。
【００１３】
上記のＴＳ及びＥＳデコード部１４で分離されたオーディオデータは、オーディオデコード１５に入力されて、デコード処理される。オーディオデータは、圧縮処理されているために、その伸長処理が行われると共に、またデジタルアナログ変換処理が行われる。リニアＰＣＭのデータの場合は、リニアＰＣＭ復元処理が行われる。オーディオデコード１５の出力は、スピーカ１６に供給される。
【００１４】
また、放送された放送データは、データデコード１７に入力されて、例えばビットマップ方式のデコード処理を受ける。さらにまたビデオデータは、ビデオデコード１８に入力されて、例えばＭＰＥＧ４方式によりデコードされる。
【００１５】
データデコード１７で得られたデータは、蓄積のために不揮発性メモリ３１に供給される。また、ビデオデコード１８で得られた復調ビデオも、不揮発性メモリ３１に入力される。
【００１６】
不揮発性メモリ３１は、制御部４０により制御され、蓄積している蓄積データが読み出される。不揮発性メモリ３１から出力されたデータは、映像出力処理部１９で表示装置２０に整合した映像信号となり、表示装置２０に出力される。表示装置２０としては、液晶表示装置、発光素子を用いたＦＥＤなどがある。
【００１７】
図示していないが、デコードされたオーディオデータも不揮発性メモリ３１に蓄積されてもよいことは勿論である。またビデオデコード１８の出力が直接映像出力処理部１９に供給されてもよい。
【００１８】
不揮発性メモリ３１に蓄積されたビデオデータは、リアルタイム再生モードでは、順次読み出されて、表示装置２０及に供給される。この表示の間、順次番組が受信されてデコードされ、新規で更新すべきデータが、不揮発性メモリ３１に蓄積される。
【００１９】
５０は、電源回路であり、この電源回路５０は、電池５１からの電力を各部に対して適切な電位に変換している。電源回路５０の出力電圧は、対応するブロックに供給される。ここで、電源回路５０から得られる電力は、チューナ１２及びアンテナ１１にも給電されている。電源回路５０には、ＡＣ電源５２を接続することもできるが、これは例えば充電などを行う場合である。
【００２０】
電池５１の電池パワー残量は、残量測定回路５３により測定される。測定結果は、制御部４０の電源制御機能部で判定される。またＡＣ電源５２の接続、非接続は、ＡＣ電源検出回路５４により検出され、検出結果が制御部４０に送られる。
【００２１】
制御部４０には、設定値記憶回路４４も接続されている。この設定値記憶回路４４は、制御部４０の内部に組み込まれていてもよい。
【００２２】
この設定値記憶回路４４には、例えば、チャンネルを選択するために必要なチャンネルコード（受信信号から取り込まれる）、ユーザが調整したボリウムデータ、受信したチャンネルデータなどが存在する。
【００２３】
図２は、上記の装置の動作を説明するためのフローチャートである。このフローチャートは、特に本発明装置の特徴を説明できるように示している。いま、選局部であるチューナ１２あるいはデコード部１４からエラー通知があったとする。エラー通知の内容としては、例えば「電波が微弱なエリアになりました」、あるいは「選択した番組は契約されていません」などの通知である。すると、現在メニュー画面が表示中であるかどうかの判定が行われる。メニュー画面表示中であれば、終了となるが、そうでない場合には、蓄積データ放送の表示中であるかどうかの判定が行われる。つまり、不揮発性メモリ３１のデータを表示するために読み出すブラウザ機能４０１が動作しているかどうかの判定が行われる（ステップＳ２）。動作していない場合には、ステップＳ３に移行して、動作状況に応じて警告表示手段により警告表示が行われる。ここで、警告手段により警告表示が行われたとき、ブラウザ機能が動作中は、表示時間及び又は表示形態を制限する警告表示制限手段が機能して制限ありの警告表示処理が行われる（ステップＳ４）。
【００２４】
図３には、警告画面の例を示している。図３（Ａ）では、「電波の弱いエリアに入りました」という警告映像が出力された例である。また図３（Ｂ）は、「番組が契約されていません」という警告映像が出力された例である。
【００２５】
本発明では、図４に示す様に画面が変化する。即ち図４（Ａ）に示すようにブラウザ機能が動作中は、画面上の警告表示を短時間（例えば0.5秒程度）に制限するのである。通常、ブラウザ機能が非動作中は前記短時間よりも大幅に長い時間にしている。又は、図４（Ｂ）に示すように、ブラウザ機能が動作中は、画面上の警告表示の大きさを小さくし、前記ブラウザ機能が非動作中は、大きくする。
【００２６】
さらには、図４（Ｃ）に示すように、ブラウザ機能が非動作中は前記警告表示を行わせるが前記ブラウザ機能が動作中は警告表示を行わせないのである。
【００２７】
これにより、警告映像の表示形態を制限できる機能を設けることにより、表示画面上で重要なシーンにおける操作ミスや、表示画面上の内容読み取り、表示画面内容の監視上の不具合を改善することができる。
【００２８】
この発明は上記の実施の形態に限定されるものではない。警告表示制限手段は、警告手段が警告表示を行なうとき、ブラウザ機能が動作中は、警告表示をアイコンで示し、ブラウザ機能が非動作中はメッセージで示すようにしてもよい。さらにまた、警告表示制限手段は、警告手段が警告表示を行なうとき、ブラウザ機能が動作中は、音声で示し、ブラウザ機能が非動作中はメッセージで示してもよい。また警告表示制限手段は、警告手段が警告表示を行なうとき、ブラウザ機能が動作中は、画面をフラッシュさせ、ブラウザ機能が非動作中はメッセージで示すようにしてもよい。
【００２９】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００３０】
【図１】本発明が適用されたモバイル放送受信装置の一実施の形態を示す機能ブロック図。
【図２】本発明の特徴的な動作を説明するために示すフローチャート。
【図３】本発明の装置により表示された画面の例を示す説明図。
【図４】本発明の装置により表示された画面の例を示す説明図。
【符号の説明】
【００３１】
１１…アンテナ、１２…チューナ、１４…ＴＳ／ＴＥデコード部、１５…オーディオデコード、１６…スピーカ、１７…データデコード、１８…ビデオデコード、３１…不揮発性メモリ、４０…制御部、４１…キー入力処理部。
【図１】
2006025032.tif 000003
【図２】
2006025032.tif 000004
【図３】
2006025032.tif 000005
【図４】
2006025032.tif 000006